(57)【要約】      （修正有）【課題】複数のエンコーダを用いてマルチメディア圧縮を最適化するためのシステムおよび方法を提供する。【解決手段】マルチメディアストリームは複数のエンコーダによって並列に圧縮される。それらの圧縮したストリーム出力は、長所のために動的に評価される。圧縮したストリームの最良の１つは、使用された特別の圧縮アルゴリズムに関する情報と共に、送信される。その結果、レシーバのデコーダは、プレゼンテーションのためのストリームを解凍することができる。【選択図】図１
2010213297.tif 000002
【特許請求の範囲】
【請求項１】
下記を具備する、マルチメディアストリームを処理する方法：
マルチメディアストリームから、第１の圧縮アルゴリズムを用いた第１の圧縮されたストリームを提供する；
それと並列に、マルチメディアストリームから、第２の圧縮アルゴリズムを用いた少なくとも第２の圧縮されたストリームを提供する；
少なくとも前記第１および第２の圧縮されたストリームを評価する；および
前記評価行為に基づいて、前記圧縮されたストリームの１つを送信する。
【請求項２】
前記第１の圧縮されたストリームは、前記第１の圧縮アルゴリズムを実行する第１エンコーダを用いて提供され、前記第２の圧縮されたストリームは、前記第２の圧縮アルゴリズムを実行する第２エンコーダを用いて提供される、請求項１の方法。
【請求項３】
前記第１および第２の圧縮されたアルゴリズムを提供することと並列に第３の圧縮アルゴリズムを用いて前記マルチメディアストリームから少なくとも第３の圧縮されたストリームを提供することを具備する、請求項１の方法。
【請求項４】
前記選択された圧縮されたストリームの前記圧縮アルゴリズムを表す情報を送信することをさらに具備する、請求項１の方法。
【請求項５】
前記選択されたストリームの前記圧縮アルゴリズムを表す前記情報を用いて前記選択された圧縮されたスキームを解凍することを促進するデコーダを構成することをさらに具備する、請求項４の方法。
【請求項６】
前記評価行為は、少なくとも一部分圧縮品質を評価することにより引き受けられる、請求項１の方法。
【請求項７】
前記評価行為は、少なくとも一部分圧縮有効性に基づく、請求項１の方法。
【請求項８】
前記評価行為は、少なくとも一部分、集合された送信チャネルの要件に基づく、請求項１の方法。
【請求項９】
前記評価行為は、少なくとも一部分送信チャネルの能力にもとづく、請求項１の方法。
【請求項１０】
前記送信行為は、無線で行われる、請求項１の方法。
【請求項１１】
前記送信行為は、ＣＤＭＡ原理を用いて行われる、請求項１０の方法。
【請求項１２】
前記送信行為は、ＯＦＤＭ原理を用いて行われる、請求項１０の方法。
【請求項１３】
前記送信行為は、デジタルブロードキャスト原理を用いて行われる、請求項１０の方法。
【請求項１４】
下記を具備する、送信用のオリジナルマルチメディアストリームをコード化するためのシステム：
少なくとも第１の符号化アルゴリズムを用いて前記オリジナルストリームを符号化し、第１の符号化されたストリームを提供する；
少なくとも第２の符号化アルゴリズムを用いて前記オリジナルストリームを符号化し、第２の符号化されたストリームを提供する；および
前記第１および第２の符号化されたストリームの１つを選択し、前記オリジナルストリームを表す選択されたストリームを提供するプロセッサ。
【請求項１５】
前記プロセッサは、各符号化されたストリームの品質に基づいて少なくとも一部分前記選択行為を実行する、請求項１４のシステム。
【請求項１６】
前記プロセッサは、少なくとも一部分、圧縮有効性に基づいて前記選択行為を実行する、請求項１４のシステム。
【請求項１７】
符号化されたストリームを送信する無線送信器をさらに具備する、請求項１４のシステム。
【請求項１８】
前記プロセッサは、前記オリジナルストリームに対して前記選択行為を複数回実行する、請求項１４のシステム。
【請求項１９】
少なくとも第３のエンコーダを具備する、請求項１４のシステム。
【請求項２０】
前記プロセッサは、前記選択されたストリームと共に、前記選択されたストリームが発生されたそれぞれのエンコーダの前記それぞれのアルゴリズムに関係する情報を送信する、請求項１４のシステム。
【請求項２１】
前記情報を用いて、復号アルゴリズムを選択するデコーダをさらに具備する、請求項１４のシステム。
【請求項２２】
前記プロセッサは、少なくとも一部分、集合されたチャネルの要件に基づいて前記選択行為を実行する、請求項１４のシステム。
【請求項２３】
前記プロセッサは、少なくとも一部送信チャネルの能力に基づいて前記選択行為を実行する、請求項１４のシステム。
【請求項２４】
前記プロセッサは、前記選択されたチャネルとは分離したチャネル上に、前記選択されたストリームを発生するエンコーダに関係する情報を送信する、請求項１４のシステム。
【請求項２５】
前記無線送信器は、ＣＤＭＡ送信器である、請求項１７のシステム。
【請求項２６】
前記無線送信器はＯＦＤＭ送信器である、請求項１７のシステム。
【請求項２７】
前記無線送信器はデジタルブロードキャスト送信器である、請求項１７のシステム。
【請求項２８】
下記を具備する、送信のために圧縮したストリームを選択するためのプロダクト：
マルチメディアストリームから第１の圧縮されたストリームを引き出すための手段；
前記第１の圧縮されたストリームと並列に前記マルチメディアストリームから第２の圧縮されたストリームを引き出すための手段；および
送信のために前記圧縮されたストリームの選択された１つを動的に選択するための手段。
【請求項２９】
前記圧縮されたストリームの前記選択された１つと共に、前記圧縮されたストリームの前記選択された１つを発生するために使用される圧縮スキームの表示を送信する手段をさらに具備する、請求項２８のプロダクト。
【請求項３０】
前記圧縮されたストリームの前記選択された１つを送信するための手段をさららに具備する、請求項２９のプロダクト。
【請求項３１】
受信したとき、少なくとも位置圧縮スキームの表示を用いて前記圧縮されたストリームの前記選択された１つを解凍する手段をさらに具備する、請求項３０のプロダクト。
【請求項３２】
前記選択されたストリームから分離されたチャネル上に前記選択されたストリームを発生する手段に関係する情報を送信する手段をさらに具備する、請求項３１のプロダクト。
【請求項３３】
前記選択されたストリームを無線で送信する手段をさらに具備する、請求項３２のプロダクト。
【請求項３４】
前記無線送信手段は、ＣＤＭＡ送信器である、請求項３３のプロダクト。
【請求項３５】
前記無線送信器は、ＯＦＤＭ送信器である、請求項３３のプロダクト。
【請求項３６】
前記無線送信手段は、デジタルブロードキャスト送信器である、請求項３３のプロダクト。
【発明の詳細な説明】
【技術分野】
【０００１】
この発明は、一般にマルチメディア送信に関する。
【背景技術】
【０００２】
マルチメディアストリームは、典型的にはビデオフレームを含み、帯域幅を保存するために送信または記憶装置に先立って圧縮される。ビデオの圧縮は一般にビットの比較的より小さなグループを備えたビットの比較的より大きなグループを表わすことを意味する。受信した圧縮したマルチメディアストリームは、表示のために（ほぼ)オリジナルのフォーマットに解凍される。
【０００３】
多くの圧縮スキームが可能であることは容易に認識されるだろう。より具体的には、アルゴリズムおよび／または基底関数（集合的にここでは、「圧縮アルゴリズム」)を使用する多くの異なる圧縮スキームが可能である。通常、２つの目標が圧縮のために存在する。１つはもちろん、できるだけマルチメディアストリームを圧縮することである。最初の目標と競合することは、圧縮および伸張プロセス中に過度の情報を失わない要望である。典型的に圧縮のために使用される装置の名前である高品質エンコーダは、競合する２つの目標を最適化しようとする固定の圧縮アルゴリズムで構成される。
【０００４】
本発明は、圧縮される特別のマルチメディアストリームの性質によって、第１の圧縮スキームが第１のストリームには最適かもしれないし、その一方で第２の圧縮スキームが第２のストリームには最適かもしれないことを認識する。確かに、同じストリームの異なる部分の圧縮は単一の圧縮スキームを越えるものを使用して、最も最適化されるかもしれない。
【０００５】
これを扱う１つの方法は、現在圧縮されているマルチメディアストリームに適するために動的にその圧縮アルゴリズムを変更することができるエンコーダを提供することだろう。しかしながら、本発明によって理解されるように、これは連続してテストされている候補アルゴリズムと共に、圧縮アルゴリズムを変更し、生じる圧縮の質を測定し、再びアルゴリズムを変更することを必要とすることもあり得る。ここにさらに理解されるように、これは、圧縮されたストリームを記憶するために受け入れられるかもしれないが、圧縮したマルチメディアの送信に関連して問題がある。送信の期間、連続して候補圧縮アルゴリズムを試験するための十分な時間が存在しないかもしれない。これらの批判的な所見を行って、以下に開示されたこの発明は提供された。
【発明の概要】
【０００６】
マルチメディアストリームを処理する方法は、マルチメディアストリームから第１の圧縮アルゴリズムを使用した第１の圧縮したストリームを提供することを含む。この方法は、さらに第１の提供と並列に、第２の圧縮アルゴリズムを用いて少なくとも第２の圧縮したストリームを提供し、次に、第１および第２の圧縮したストリームを評価することを含む。評価する行為に基づいて、圧縮したストリームの最良の１つは送信される。
【０００７】
好適実施形態において、第１の圧縮したストリームは、第１の圧縮アルゴリズムを実行する第１エンコーダを用いて提供される。他方、第２の圧縮したストリームは、第２の圧縮アルゴリズムを実行する第２のエンコーダを使用して与えられる。３つ以上のエンコーダを使用して評価することができる。
【０００８】
送信および受信の後に圧縮したストリームを解凍することを支援するために、最良に圧縮されたストリームの圧縮アルゴリズムを表す情報がストリームとともに送信される。その評価は、圧縮有効性および／またはストリーム品質および／または、統合された送信チャネルの必要条件、および／または送信チャネルの能力に基づくことができる。
【０００９】
他の観点において、送信のためのオリジナルマルチメディアストリームを符号化するためのシステムは、第１の符号化されたストリームを与えるために少なくとも第１の符号化アルゴリズムを用いてオリジナルストリームを符号化する第１エンコーダ、および第２の符号化されたストリームを与えるために少なくとも第２の符号化アルゴリズムを用いてオリジナルストリームを符号化する第２エンコーダを含む。プロセッサは、オリジナルストリームを表す選択されたストリームを与えるために第１および第２の符号化されたストリームの１つを選択する。
【００１０】
さらに他の観点において、送信のために圧縮されたストリームを選択するための製品は、マルチメディアストリームから第１の圧縮したストリームを引き出すための手段を含んでいる。製品は、さらに第１の圧縮されたストリームに並列にマルチメディアストリームから第２の圧縮されたストリームを引き出すための手段を含む。送信のために、圧縮されたストリームの最良の１つを動的に選択するための手段が提供される。
【００１１】
この発明の詳細は、その構造および動作の両方に関して、類似した参照数字が類似した部分を指す添付図面を参照して最も良く理解することができる。
【図面の簡単な説明】
【００１２】
【図１】図１はこのシステムの単純化された機能ブロック図である。
【図２】図２は、選択プロセッサにより実行されるロジックのフローチャートである。
【発明を実施するための形態】
【００１３】
最初に図１を参照すると、マルチメディアのソース１２から、ビデオストリームを含むマルチメディアを圧縮し、送信するためのシステムが一般に１０で示される。ソース１２は、コンテンツプロバイダであってもよいし、または、マルチメディアストリームを提供するローカルデータ記憶装置またはレシーバであってもよい。ソース１２の特定の文字は、この発明に密接な関係がない。ここでは、マルチメディアストリームは、デジタル化されていると仮定する。
【００１４】
図示するように、システム１０は、並列に圧縮されたストリームを受信し、それぞれの圧縮スキームを使用して互いに並列にストリームを圧縮する複数の圧縮エンコーダＡ乃至Ｎを含む。エンコーダＡ乃至Ｎの出力は、選択プロセッサ１４により受信される。選択プロセッサ１４は、以下にさらに詳細に述べるように長所のために出力を評価し、選択されたストリームまたはストリーム群を送信のために送信器１６に送信する。さらに以下に述べられるように、選択決定は、信号対雑音比、利用可能な通信層、送信チャネル特性、消費者の好み、プログラムストリーム重要度、利用可能な帯域幅、その他のようなパラメータを考慮に入れることができる。レシーバ１８はストリームを受信し、それをデコーダ２０に送る。デコーダ２０は、ビデオモニター、プリンター、スピーカーなどのような表示装置２２に表示するためにストリームを解凍する。
【００１５】
図１に示される、制限しない好適実施形態は、無線手段を使用する、特に符号分割多元接続（ＣＤＭＡ）原理を使用するマルチメディア送信器１６を示す。所望であれば、ストリームは複数のレシーバにブロードキャストすることができ、またはポイントツーポイント無線送信原理を用いて送信することができる。マルチキャスト送信原理も使用することができる。この原理は、ＧＳＭ、ＴＤＭＡ、広帯域ＣＤＭＡ、ＯＦＤＭ、等のような他の形態の無線通信、ならびにケーブルシステム、インターネットを介したマルチメディアの送信に適用することが理解されるべきである。
【００１６】
次に、図２を参照すると、圧縮スキーム選択ロジックを見ることができる。ブロック２４で始まり、ソース１２からのマルチメディアストリームはすべてのエンコーダＡ，Ｂ．．．，Ｎによって並列に受信される。ブロック２６において、エンコーダは、それぞれの圧縮アルゴリズムを使用して、互いに並列に同じストリームを圧縮する。エンコーダおよび／またはエンコーダ出力を多様化させる方法の限定されない例は、エンコーダの中で、異なる数およびタイプの層、各層に割り当てられた秒あたりの異なるデータ量、異なる信号対雑音比、異なる圧縮技術、異なる合計帯域幅等を使用することを含む。このインターネットマルチメディアストリーミングアプリケーションは、ユーザに複数の固定された符号化選択を提供する。この符号化選択は、必要な帯域幅（例えば、５６Ｋｂｐｓ、３００Ｋｂｐｓ)およびサイズ（例えば、ビデオＱＣＩＦ，ＣＩＦ、オーディオモノ、ステレオ、５．１等が)を含む。
【００１７】
エンコーダによって出力された圧縮されたストリームは、ブロック２８において、評価のために選択プロセッサ１４に送信される。所望であれば、１つの限定しない例示実施形態において、ストリームは最初にブロック２７に送ることができる。ブロック２７において、情報は、集合ストリームおよび利用可能な送信チャネル、例えば集合要件、現在のチャネル状態、および現在の送信チャネル能力のみでまたはストリーム特性に鑑みて判断される。ブロック２８において、プロセッサ１４は、所望であれば、集合チャネルの要件、現在の状態、および送信チャネルの能力を考慮することを含むストリームの長所を評価する。ストリームはできるだけほぼ同時に評価されることが理解されるであろう。評価自体は、各エンコーダによって供給される圧縮有効性に基づくことができる。すなわち、限定されない例において、評価は、どのエンコーダがソース１２から受信したオリジナルマルチメディアストリームのサイズに対して最も圧縮されたストリームのサイズを低減するかを決定することができる。また、評価は、圧縮されたストリームの品質に基づくことができる。任意の適切な品質測定基準を使用することができる。１つの限定しない例において、各圧縮されたストリームの部分は、解凍することができ、次に解凍された部分をオリジナルストリームの対応する部分と比較することができる。エンコーダは、「最高の品質」のエンコーダとして指定された最も匹敵するものを供給する。２以上の評価基準が使用されるとき、例えば、圧縮有効性、層数、ストリームの優先順位、およびストリーム品質が評価されるとき、それぞれの重み付けされた平均測定値は、処理される特定のマルチメディアストリームを圧縮する際に各エンコーダの能率性の全体のインジケータとして発生してもよい。１つの限定しない例において、圧縮有効性は合計点数の８０％で数えるかもしれない。また、ストリーム品質は２０％で数えるかもしれない。他の限定しない例において、ストリームの基層を、例えば３２Ｋｂｐｓに圧縮する能力およびストリームの第２層（エンハンスメント層)を２４Ｋｂｐｓに圧縮する能力は、総得点の５０％に対してカウントするかもしれないが、基層を４８Ｋｂｐｓ未満に圧縮することができないことは、符号化選択を完全に除去するかもしれない。受信装置の能力に合わせた経験則を含む他の経験則を使用することができる。
【００１８】
ブロック２８において、その長所によって示されるような圧縮されたストリームの「最良」の１つは、送信のために出力される。決定ダイヤモンド３０は、上述のプロセスが所望であれば連続的ループで実行できることを示す。特に、圧縮したストリームのうちの１つが「最良の」圧縮したストリームである変更が示されるなら、ロジックはブロック３２に進み、新しい「最良の」圧縮したストリームを出力し次に、ブロック３４に進み、全マルチメディアストリームが圧縮され、評価され、送信されるまで、ブロック２６にループバックすることにより、プロセスを継続する。決定ダイヤモンド３０のテストが否定の場合、ロジックループは、記載されるように、ブロック２６乃至ブロック３４にループバックする。したがって、所望であればオリジナルのマルチメディアストリームは、一定の並列の圧縮を経験することができる。また、所望であれば、圧縮したストリームの「最良の」１つの選択は、連続的になり得る。そして、各部分に対して各スキームの長所に基づいてオリジナルストリームのそれぞれの部分に潜在的に複数の圧縮スキームを使用して、動的になることができる。
【００１９】
「最良の」の圧縮されたストリーム出力の一部として、「最良」の出力を発生するために使用された特定の圧縮スキームの表示は、例えばストリームのビデオフレームのヘッダでまたは別個のチャネルでストリームと共に送信される。この表示を用いて、デコーダ２０は、適切に構成されストリームを解凍することができる。
【００２０】
ここに示され、詳細に記載される特定の複数のエンコーダを用いてマルチメディア圧縮を最適化するためのシステムおよび方法は、この発明の上述の目的を完全に達成することができるけれども、それは、現在この発明の好適実施形態であり、従ってこの発明によって広範囲に意図された主題を表し、この発明の範囲は、当業者により明白になる他の実施形態を完全に含み、従って、この発明の範囲は、添付されたクレーム以外によって限定されず、単一のエレメントにおける参照は、そのように明白に記載しないかぎり「唯一」を意図するものではなく、むしろ「１つ以上」を意図することが理解されるべきである。当業者に知られているかまたは後に知られるようになる上述の好適実施形態のエレメントに対する構造的および機能的均等物は、参照することにより明白にここに組み込まれ、このクレームにより含まれるように意図される。さらに、この発明がこのクレームにより包含されるには、装置または方法がこの発明により解決しようとするありとあらゆる問題に対処する必要はない。更に、この開示におけるエレメント、コンポーネントあるいは方法ステップは、エレメント、コンポーネントあるいは方法ステップが請求項で明示的に詳述されるかどうかにかかわらず公に捧げられるようには意図されない。エレメントが明示的にフレーズ"means for"を用いてまたは方法クレームの場合は、エレメントが「行為」の代わりに「ステップ」として記載されない限り、ここにあるクレームエレメントは、３５Ｕ．Ｓ．Ｃ．１１２、第６パラグラフの条項に基づいて解釈されるべきでない。
【図１】
2010213297.tif 000003
【図２】
2010213297.tif 000004
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
下記を具備する、マルチメディアストリームを処理する方法：
マルチメディアストリームから、第１の圧縮アルゴリズムを用いた、第１の基層と第１のエンハンスメント層とを備える第１の圧縮されたストリームを提供する；
それと並列に、マルチメディアストリームから、第２の圧縮アルゴリズムを用いた、第２の基層と第２のエンハンスメント層とを備える少なくとも第２の圧縮されたストリームを提供する；
少なくとも前記第１および第２の圧縮されたストリームを評価する；
選択プロセッサを介して、前記評価行為に基づいて、前記圧縮されたストリームの１つを最良のストリームとして選択する、前記最良のストリームの選択は、基層に割り当てられた秒あたりの異なるデータ量に対する前記第１の基層および前記第２の基層の毎秒ビット数と、エンハンスメント層に割り当てられた秒あたりの異なるデータ量に対する前記第１のエンハンスメント層および前記第２のエンハンスメント層の毎秒ビット数とに基づく；および
前記選択された最良のストリームを送信する。
【請求項２】
前記第１の圧縮されたストリームは、前記第１の圧縮アルゴリズムを実行する第１エンコーダを用いて提供され、前記第２の圧縮されたストリームは、前記第２の圧縮アルゴリズムを実行する第２エンコーダを用いて提供される、請求項１の方法。
【請求項３】
前記第１および第２の圧縮されたアルゴリズムを提供することと並列に第３の圧縮アルゴリズムを用いて前記マルチメディアストリームから少なくとも第３の圧縮されたストリームを提供することをさらに具備する、請求項１の方法。
【請求項４】
前記選択された圧縮されたストリームの前記圧縮アルゴリズムを表す情報を送信することをさらに具備する、請求項１の方法。
【請求項５】
前記選択されたストリームの前記圧縮アルゴリズムを表す前記情報を用いて前記選択された圧縮されたスキームを解凍することを促進するデコーダを構成することをさらに具備する、請求項４の方法。
【請求項６】
前記評価行為は、少なくとも一部分圧縮品質を評価することにより引き受けられる、請求項１の方法。
【請求項７】
前記評価行為は、少なくとも一部分圧縮有効性に基づく、請求項１の方法。
【請求項８】
前記評価行為は、少なくとも一部分、集合された送信チャネルの要件に基づく、請求項１の方法。
【請求項９】
前記評価行為は、少なくとも一部分送信チャネルの能力にもとづく、請求項１の方法。
【請求項１０】
前記送信行為は、無線で行われる、請求項１の方法。
【請求項１１】
前記送信行為は、符号分割多元接続（ＣＤＭＡ）原理を用いて行われる、請求項１０の方法。
【請求項１２】
前記送信行為は、直交周波数分割多重（ＯＦＤＭ）原理を用いて行われる、請求項１０の方法。
【請求項１３】
前記送信行為は、デジタルブロードキャスト原理を用いて行われる、請求項１０の方法。
【請求項１４】
下記を具備する、送信用のオリジナルマルチメディアストリームをコード化するためのシステム：
少なくとも第１の符号化アルゴリズムを用いて前記オリジナルストリームを符号化し、第１の基層と第１のエンハンスメント層とを備える第１の符号化されたストリームを提供する第１のエンコーダ；
前記オリジナルストリームを符号化する第１のエンコーダと並列に、少なくとも第２の符号化アルゴリズムを用いて前記オリジナルストリームを符号化し、第２の基層と第２のエンハンスメント層とを備える第２の符号化されたストリームを提供する第２のエンコーダ；および
基層に割り当てられた秒あたりの異なるデータ量に対する前記第１の基層および前記第２の基層の毎秒ビット数と、エンハンスメント層に割り当てられた秒あたりの異なるデータ量に対する前記第１のエンハンスメント層および前記第２のエンハンスメント層の毎秒ビット数とに基づいて、前記第１および第２の符号化されたストリームのうちの最良のストリームを選択し、前記オリジナルストリームを表す選択されたストリームを提供するプロセッサ。
【請求項１５】
前記プロセッサは、各符号化されたストリームの品質に基づいて少なくとも一部分前記選択行為を実行する、請求項１４のシステム。
【請求項１６】
前記プロセッサは、少なくとも一部分、圧縮有効性に基づいて前記選択行為を実行する、請求項１４のシステム。
【請求項１７】
符号化されたストリームを送信する無線送信器をさらに具備する、請求項１４のシステム。
【請求項１８】
前記プロセッサは、前記オリジナルストリームに対して前記選択行為を複数回実行する、請求項１４のシステム。
【請求項１９】
少なくとも第３のエンコーダをさらに具備する、請求項１４のシステム。
【請求項２０】
前記プロセッサは、前記選択されたストリームと共に、前記選択されたストリームが発生されたそれぞれのエンコーダの前記それぞれのアルゴリズムに関係する情報を送信する、請求項１４のシステム。
【請求項２１】
前記情報を用いて、復号アルゴリズムを選択するデコーダをさらに具備する、請求項１４のシステム。
【請求項２２】
前記プロセッサは、少なくとも一部分、集合されたチャネルの要件に基づいて前記選択行為を実行する、請求項１４のシステム。
【請求項２３】
前記プロセッサは、少なくとも一部送信チャネルの能力に基づいて前記選択行為を実行する、請求項１４のシステム。
【請求項２４】
前記プロセッサは、前記選択されたチャネルとは分離したチャネル上に、前記選択されたストリームを発生するエンコーダに関係する情報を送信する、請求項１４のシステム。
【請求項２５】
前記無線送信器は、符号分割多元接続（ＣＤＭＡ）送信器である、請求項１７のシステム。
【請求項２６】
前記無線送信器は直交周波数分割多重（ＯＦＤＭ）送信器である、請求項１７のシステム。
【請求項２７】
前記無線送信器はデジタルブロードキャスト送信器である、請求項１７のシステム。
【請求項２８】
下記を具備する、送信のために圧縮したストリームを選択するためのプロダクト：
マルチメディアストリームから、第１の圧縮アルゴリズムを用いた、第１の基層と第１のエンハンスメント層とを備える第１の圧縮されたストリームを引き出すための手段；
前記マルチメディアストリームから、第２の圧縮アルゴリズムを用いた、第２の基層と第２のエンハンスメント層とを備える第２の圧縮されたストリームを引き出すための手段、前記第１の圧縮されたストリームは、前記第２の圧縮されたストリームと並列に引き出される；および
送信のために前記圧縮されたストリームのうちの１つから選択された最良のストリームを動的に選択するための手段、前記最良のストリームの選択は、基層に割り当てられた秒あたりの異なるデータ量に対する前記第１の基層および前記第２の基層の毎秒ビット数と、エンハンスメント層に割り当てられた秒あたりの異なるデータ量に対する前記第１のエンハンスメント層および前記第２のエンハンスメント層の毎秒ビット数とに基づく。
【請求項２９】
前記圧縮されたストリームの前記選択された１つと共に、前記圧縮されたストリームの前記選択された１つを発生するために使用される圧縮スキームの表示を送信する手段をさらに具備する、請求項２８のプロダクト。
【請求項３０】
前記圧縮されたストリームの前記選択された１つを送信するための手段をさららに具備する、請求項２９のプロダクト。
【請求項３１】
受信したとき、少なくとも位置圧縮スキームの表示を用いて前記圧縮されたストリームの前記選択された１つを解凍する手段をさらに具備する、請求項３０のプロダクト。
【請求項３２】
前記選択されたストリームから分離されたチャネル上に前記選択されたストリームを発生する手段に関係する情報を送信する手段をさらに具備する、請求項３１のプロダクト。
【請求項３３】
前記選択されたストリームを無線で送信する手段をさらに具備する、請求項３２のプロダクト。
【請求項３４】
前記無線送信手段は、符号分割多元接俗（ＣＤＭＡ）送信器である、請求項３３のプロダクト。
【請求項３５】
前記無線送信器は、直交周波数分割多重（ＯＦＤＭ）送信器である、請求項３３のプロダクト。
【請求項３６】
前記無線送信手段は、デジタルブロードキャスト送信器である、請求項３３のプロダクト。
【外国語明細書】
2010213297000001.pdf